(57)【要約】【課題】熱応力による低サイクル疲労によって、クラックが発生しないガスタービン排気部のストラット構造を得る。【解決手段】円筒状の車室壁２３と、車室壁２３の内側に設けられた円筒状の外側ディフューザ２５と、外側ディフューザ２５の内側に設けられた円筒状の内側ディフューザ２７と、外端が車室壁２３に固定され外側ディフューザ２５を貫通した内端が内側ディフューザ２７の外周に固定されるストラットと、ストラットを覆い、外端と車室壁２３、中央部の外周と外側ディフューザ２５、内端と内側ディフューザ２７のそれぞれが固定されるストラットカバー３５とを備えたガスタービン排気部のストラット構造において、車室壁２３と外側ディフューザ２５との間のストラットカバー３５に、軸線方向に伸縮自在な伸縮手段（スライド構造部３５ａ）を設けた。【選択図】　　　　図１
2004052598.tif 000002
【特許請求の範囲】
【請求項１】
円筒状の車室壁と、車室壁の内側に設けられた円筒状の外側ディフューザと、外側ディフューザの内側に設けられた円筒状の内側ディフューザと、外端が車室壁に固定され外側ディフューザを貫通した内端が内側ディフューザの外周に固定されるストラットと、ストラットを覆い、外端と車室壁、中央部の外周と外側ディフューザ、内端と内側ディフューザのそれぞれが固定されるストラットカバーとを備えたガスタービン排気部のストラット構造において、
車室壁と外側ディフューザとの間のストラットカバーに、軸線方向に伸縮自在な伸縮手段を設けたことを特徴とするガスタービン排気部のストラット構造。
【請求項２】
請求項１記載のガスタービン排気部のストラット構造において、
前記伸縮手段が、
外側カバーの内端と内側カバーの外端とを軸線方向にスライド自在に嵌合したスライド構造部であることを特徴とするガスタービン排気部のストラット構造。
【請求項３】
請求項１記載のガスタービン排気部のストラット構造において、
前記伸縮手段が、
外側カバーの内端と内側カバーの外端との間に介装した軸線方向に伸縮自在な柔構造部材であることを特徴とするガスタービン排気部のストラット構造。
【請求項４】
請求項１、２又は３記載のガスタービン排気部のストラット構造において、
車室壁と外側ディフューザとを相対変位自在に支持するバネ部材を、車室壁と外側ディフューザとに亘って設けたことを特徴とするガスタービン排気部のストラット構造。
【発明の詳細な説明】
【０００１】
【発明の属する技術分野】
本発明は、ガスタービン排気部のストラット構造に関する。
【０００２】
【従来の技術】
ガスタービンでは、吸気室から吸い込まれた空気が圧縮機におけるロータの回転により圧縮され、高温高圧の状態となって燃焼器に導かれる。燃焼器に導かれた空気は、供給燃料と混合して燃焼され、高温高圧の燃焼ガスとなる。燃焼ガスは、タービン部で膨張し、そのエネルギーがタービンの回転力に変換される。回転力の一部は圧縮機の動力となり、他の一部はガスタービンの出力となる。タービン部で回転力に変換された後の燃焼ガスは、排気部を通過して排気ダクトに排出される。
【０００３】
図３に示すように、排気部１は、円筒状に形成された外側の車室壁３と、車室壁３の内側に設けられた円筒状の外側ディフューザ５と、外側ディフューザ５の内側に設けられた円筒状の内側ディフューザ７とを備える。車室壁３は、図示しない台板に支持され、円筒状の内側ディフューザ７の内周側には図示しないロータの軸受が配設されている。従って、それぞれが円筒状となった車室壁３、外側ディフューザ５、内側ディフューザ７は、同心円状に配設されることで、車室壁３と外側ディフューザ５との間に円環状の外周キャビティ９を形成し、外側ディフューザ５と内側ディフューザ７との間に円環状の燃焼ガス通路１１を形成している。
【０００４】
ところで、内側ディフューザ７は、図示しないストラットを介して車室壁３に支持されている。即ち、ストラットは、外端が車室壁３に固定され、外側ディフューザ５を貫通した内端が内側ディフューザ７の外周に固定されることで内側ディフューザ７を支持する。図例ではタンジェンシャル型ストラット支持を表し、６本のストラットの内端が内側ディフューザ７の外周面に接線方向で接するように接続されている。
【０００５】
ストラットは、燃焼ガス通路１１を横切って内側ディフューザ７を支持していることから高温の燃焼ガスに曝される。このため、ストラットは、外表面との間に図４に示す空隙１３を設けてストラットカバー１５で覆い、圧縮機からの圧縮空気の一部をこの空隙１３に冷却空気として導入することで、温度上昇を防止し、熱膨張の発生を抑制している。ストラットカバー１５は、図５に示すように、外端と車室壁３、中央部の外周と外側ディフューザ５、内端と内側ディフューザ７のそれぞれが、溶接部１７により固定されている。即ち、ストラットカバー１５は、ストラットを覆うとともに冷却空気の流路を形成し、更には外側ディフューザ５の支持部材としての役割も担っている。なお、ストラットカバー１５は、図示の例とは異なり、車室壁３との接続部である外端（付け根）が、外形を大きく膨出させたフレア形状となるものもある。
【０００６】
【発明が解決しようとする課題】
しかしながら、燃焼ガス通路を流れる排ガス温度は６００℃以上になるのに対し、外周キャビティを挟んで燃焼ガス通路と反対側に位置する車室壁はそれより低温となるため、ストラットカバーの温度分布は不均一となる。また、その温度分布は、ガスタービンの起動時と停止時とで異なる。即ち、外側ディフューザ及び内側ディフューザの温度は、起動時に高く、停止時にそれよりも低くなる。一方、車室壁の温度は、起動時に低く、停止時にそれよりも高くなる。従って、ストラットカバーは、それに伴って熱応力が発生し、特にストラットの軸線方向の伸縮が大きくなる。ところが、ストラットカバーは、外端と車室壁、中央部の外周と外側ディフューザ、内端と内側ディフューザのそれぞれが、溶接により固定されているため、特に突っ張りが生じると、構造的に弱い部分（ストラットカバー付け根のフレア部など）に応力が集中し、熱応力による低サイクル（１０４回）疲労が発生する。この低サイクル疲労は、クラックの要因ともなる。そのため、定期点検ごとに修繕が発生し、補修時間・補修費用がかかるとともに、即応性能（ａｖａｉｌａｂｉｌｉｔｙ）を低下させる要因ともなっていた。
本発明は上記状況に鑑みてなされたもので、熱応力による低サイクル疲労のクラックが発生しないガスタービン排気部のストラット構造を提供し、もって、補修時間・補修費用を低減し、アベイラビリティの低下防止を図ることを目的とする。
【０００７】
【課題を解決するための手段】
上記目的を達成するための本発明に係る請求項１記載のガスタービン排気部のストラット構造は、円筒状の車室壁と、車室壁の内側に設けられた円筒状の外側ディフューザと、外側ディフューザの内側に設けられた円筒状の内側ディフューザと、外端が車室壁に固定され外側ディフューザを貫通した内端が内側ディフューザの外周に固定されるストラットと、ストラットを覆い、外端と車室壁、中央部の外周と外側ディフューザ、内端と内側ディフューザのそれぞれが固定されるストラットカバーとを備えたガスタービン排気部のストラット構造において、車室壁と外側ディフューザとの間のストラットカバーに、軸線方向に伸縮自在な伸縮手段を設けたことを特徴とする。
【０００８】
このガスタービン排気部のストラット構造では、車室壁と外側ディフューザとの間のストラットカバーに、軸線方向に伸縮自在な伸縮手段が設けられ、不均一な温度分布やその変動に伴ってストラットカバーが伸縮しても、その伸縮が伸縮手段によって吸収される。これにより、ストラットカバーの突っ張りがなくなり、熱応力に起因した低サイクル疲労によるクラックが発生しなくなる。
【０００９】
請求項２記載のガスタービン排気部のストラット構造は、請求項１記載のガスタービン排気部のストラット構造において、前記伸縮手段が、外側カバーの内端と内側カバーの外端とを軸線方向にスライド自在に嵌合したスライド構造部であることを特徴とする。
【００１０】
このガスタービン排気部のストラット構造では、ストラットカバーが軸線方向に伸縮すると、外側カバーと内側カバーの嵌合部がスライドし、その増減長が吸収される。これにより、別部材を用いることなく、簡素な構造で、ストラットカバーの突っ張りをなくし、熱応力に起因する低サイクル疲労が抑止される。
【００１１】
請求項３記載のガスタービン排気部のストラット構造は、請求項１記載のガスタービン排気部のストラット構造において、前記伸縮手段が、外側カバーの内端と内側カバーの外端との間に介装した軸線方向に伸縮自在な柔構造部材であることを特徴とする。
【００１２】
このガスタービン排気部のストラット構造では、ストラットカバーが軸線方向に伸縮すると、柔構造部材が伸縮し、その増減長が吸収される。これにより、外側カバーと内側カバーとの気密性を確保しながら、ストラットカバーの突っ張りをなくし、熱応力に起因する低サイクル疲労が抑止される。
【００１３】
請求項４記載のガスタービン排気部のストラット構造は、請求項１、２又は３記載のガスタービン排気部のストラット構造において、車室壁と外側ディフューザとを相対変位自在に支持するバネ部材を、車室壁と外側ディフューザとに亘って設けたことを特徴とする。
【００１４】
このガスタービン排気部のストラット構造では、バネ部材が車室壁と外側ディフューザとに亘って設けられることで、伸縮手段による変位吸収作用を確保しながら、外側ディフューザ、内側ディフューザを支持するだけの剛性がストラットカバーの伸縮手段介装部位に付与される。
【００１５】
【発明の実施の形態】
以下、本発明に係るガスタービン排気部のストラット構造の好適な実施の形態を図面を参照して詳細に説明する。
図１は本発明に係るガスタービン排気部のストラット構造を表す要部拡大断面図である。
【００１６】
排気部２１は、円筒状に形成された外側の車室壁２３と、車室壁２３の内側に設けられた円筒状の外側ディフューザ２５と、外側ディフューザ２５の内側に設けられた円筒状の内側ディフューザ２７とを備える。車室壁２３は、図示しない台板に支持され、円筒状の内側ディフューザ２７の内周側には図示しないロータの軸受が配設されている。従って、それぞれが円筒状となった車室壁２３、外側ディフューザ２５、内側ディフューザ２７は、同心円状に配設されることで、車室壁２３と外側ディフューザ２５との間に円環状の外周キャビティ２９を形成し、外側ディフューザ２５と内側ディフューザ２７との間に円環状の燃焼ガス通路３１を形成している。
【００１７】
内側ディフューザ２７は、図示しないストラットを介して車室壁２３に支持されている。即ち、ストラットは、外端が車室壁２３に固定され、外側ディフューザ２５を貫通した内端が内側ディフューザ２７の外周に固定されることで内側ディフューザ２７を支持する。
【００１８】
ストラットは、外表面との間に空隙３３を設けてストラットカバー３５で覆い、圧縮機からの圧縮空気の一部をこの空隙３３に冷却空気として導入することで、温度上昇を防止し、熱膨張の発生を抑制している。ストラットカバー３５は、外端と車室壁２３、中央部の外周と外側ディフューザ２５、内端と内側ディフューザ２７のそれぞれが、溶接部３６により固定されている。即ち、ストラットカバー３５は、ストラットを覆うとともに冷却空気の流路を形成し、更には外側ディフューザ２５の支持部材となっている。
【００１９】
ストラットカバー３５は、車室壁２３と外側ディフューザ２５との間に、軸線方向に伸縮自在となった伸縮手段を有している。ストラットカバー３５は、外端を車室壁２３に固定して内端を車室壁２３と外側ディフューザ２５との間で開口させる外側カバー３７と、内端を内側ディフューザ２７に固定し、中央部の外周を外側ディフューザ２５に固定するとともに外端を外側カバー３７の内端にスライド自在に嵌合させた内側カバー３９とからなる。本実施の形態において、伸縮手段は、外側カバー３７の内端と内側カバー３９の外端とを軸線方向にスライド自在に嵌合したスライド構造部３５ａとなる。本実施の形態では、外側カバー３７の外周側に、内側カバー３９の内周側を外挿する例を図示しているが、その逆の嵌合構造であってもよい。
【００２０】
また、ストラットカバー３５の近傍には、車室壁２３と外側ディフューザ２５とを相対変位自在に支持するバネ部材（板バネ）４０を、車室壁２３と外側ディフューザ２５とに亘って設けている。板バネ４０は、く字形状に形成され、折り曲げ部を中央として、その一端が車室壁２３に固定され、他端が外側ディフューザ２５に固定される。本実施の形態において、板バネ４０は、ストラットカバー３５を挟んで左右に一対のものが設けられている。これにより、伸縮手段の左右側で均等な支持剛性が付与できるようになっている。また、図１はガス流の上流側から流下方向を見た正面視であるので、板バネ４０は、板面の延在方向がガス流と平行な方向となる。つまり、排気抵抗を増大させない向きで取り付けられている。
【００２１】
このように構成されたガスタービン排気部のストラット構造によれば、車室壁２３と外側ディフューザ２５との間のストラットカバー３５に、軸線方向に伸縮自在なスライド構造部３５ａが設けられ、不均一な温度分布やその変動に伴ってストラットカバー３５が伸縮しても、その伸縮がスライド構造部３５ａによって吸収される。これにより、ストラットカバー３５の突っ張りがなくなり、熱応力に起因した低サイクル疲労によるクラックが発生しなくなる。
【００２２】
また、ストラットカバー３５が軸線方向に伸縮すると、外側カバー３７と内側カバー３９の嵌合部３５ａがスライドし、その増減長が吸収される。これにより、別部材を用いることなく、簡素な構造で、ストラットカバー３５の突っ張りをなくし、熱応力に起因する低サイクル疲労が抑止される。
【００２３】
さらに、このガスタービン排気部のストラット構造では、板バネ４０を車室壁２３と外側カバー３７との間に配設したので、スライド構造部３５ａによる変位吸収作用を確保しながら、外側ディフューザ２５、内側ディフューザ２７を支持するだけの剛性をストラットカバー３５のスライド構造部３５ａに付与することができる。
【００２４】
次に、本発明に係る他の実施の形態を説明する。
図２は他の実施の形態を表す要部拡大断面図である。なお、図１に示した部材と同一の部材には同一の符号を付し、重複する説明は省略するものとする。
本実施の形態によるガスタービン排気部のストラット構造は、伸縮手段が、外側カバー４１の内端と内側カバー４３の外端との間に介装した軸線方向に伸縮自在な柔構造部材４５となる。柔構造部材４５としては、軸線方向に伸縮自在となり外側カバー４１の内端と内側カバー４３の外端とを接近離反自在に連結する例えば蛇腹管とすることができる。
【００２５】
このガスタービン排気部のストラット構造では、ストラットカバー４７が軸線方向に伸縮すると、柔構造部材４５が伸縮し、その増減長が吸収される。これにより、外側カバー４１と内側カバー４３との気密性を確保しながら、ストラットカバー４７の突っ張りをなくし、熱応力に起因する低サイクル疲労を抑止することができる。
【００２６】
【発明の効果】
以上詳細に説明したように、本発明に係る請求項１記載のガスタービン排気部のストラット構造によれば、車室壁と外側ディフューザとの間のストラットカバーに、軸線方向に伸縮自在な伸縮手段を設けたので、不均一な温度分布やその変動に伴ってストラットカバーが伸縮しても、その伸縮を伸縮手段によって吸収することができる。これにより、ストラットカバーの突っ張りがなくなり、熱応力に起因した低サイクル疲労によるクラックが発生しなくなる。この結果、補修時間・補修費用を低減し、アベイラビリティの低下を防止することができる。
【００２７】
請求項２記載のガスタービン排気部のストラット構造によれば、伸縮手段が、外側カバーの内端と内側カバーの外端とを軸線方向にスライド自在に嵌合したスライド構造部であるので、ストラットカバーが軸線方向に伸縮すると、外側カバーと内側カバーの嵌合部がスライドし、その増減長を吸収することができる。これにより、別部材を用いることなく、簡素な構造で、ストラットカバーの突っ張りをなくし、熱応力に起因する低サイクル疲労を抑止することができる。
【００２８】
請求項３記載のガスタービン排気部のストラット構造によれば、伸縮手段が、外側カバーの内端と内側カバーの外端との間に介装した軸線方向に伸縮自在な柔構造部材であるので、ストラットカバーが軸線方向に伸縮すると、柔構造部材が伸縮し、その増減長を吸収することができる。これにより、外側カバーと内側カバーとの気密性を確保しながら、ストラットカバーの突っ張りをなくし、熱応力に起因する低サイクル疲労を抑止することができる。
【００２９】
請求項４記載のガスタービン排気部のストラット構造によれば、車室壁と外側ディフューザとを相対変位自在に支持するバネ部材を、車室壁と外側ディフューザとに亘って設けたので、伸縮手段による変位吸収作用を確保しながら、外側ディフューザ、内側ディフューザを支持するだけの剛性をストラットカバーの伸縮手段介装部位に付与することができる。
【図面の簡単な説明】
【図１】本発明に係るガスタービン排気部のストラット構造を表す要部拡大断面図である。
【図２】他の実施の形態を表す要部拡大断面図である。
【図３】従来の排気部における軸線直交方向の断面図である。
【図４】従来の排気部における要部拡大断面図である。
【図５】従来の排気部における要部拡大斜視図である。
【符号の説明】
２１；排気部
２３；車室壁
２５；外側ディフューザ
２７；内側ディフューザ
３５；ストラットカバー
３５ａ；スライド構造部（伸縮手段）
３７；外側カバー
３９；内側カバー
４０；板バネ（バネ部材）
４１；外側カバー
４３；内側カバー
４５；柔構造部材（伸縮手段）
４７；ストラットカバー
【図１】
2004052598.tif 000003
【図２】
2004052598.tif 000004
【図３】
2004052598.tif 000005
【図４】
2004052598.tif 000006
【図５】
2004052598.tif 000007